Podtech/llm-jp-corpus-v4-ja_patent huggingface dataset:
【手続補正書】
【提出日】平成21年3月6日(2009.3.6)
【手続補正１】
【補正対象書類名】特許請求の範囲
【補正対象項目名】全文
【補正方法】変更
【補正の内容】
【特許請求の範囲】
【請求項１】
ヒト皮膚の美容美白のための皮膚美白化合物の使用であって、前記皮膚美白化合物が、２−［２−（４−メチル−３−シクロヘキセン−１−イル）−プロピル］−シクロペンタノン、６−イソプロピル−オクタヒドロ−ナフタレン−２−オン、４，７，７−トリメチル−２−（３−メチル−ブト−２−エニル）−ビシクロ［４．１．０］ヘプタン−３−オン、１−（５，６，７，８−テトラヒドロ−３，５，５，６，８，８−ヘキサメチル−２−ナフタル−エニル）−エタノン、１，１，２，３，３，８−ヘキサメチル−１，２，３，５，７，８−ヘキサヒドロ−６−オキサ−シクロペンタ［ｂ］ナフタレン、６，７−エポキシ−１，１，２，４，４，７−ヘキサメチル−オクタヒドロ−ナフタレン、１，１，２，３，３−ペンタメチル−１，２，３，５，６，７−ヘキサヒドロ−インデン−４−オン、１−（２，３，８，８−テトラメチル−１，２，３，４，５，６，７，８−オクタヒドロ−ナフタレン−２−イル）−エタノン、２，２，３’，７’，７’−ペンタメチルスピロ（１，３−ジオキサン−５，２’−ノルカラン）、メチル−ｎ−３，７−ジメチル−７−ヒドロキシオクチリデンアントラニラート、２−［３−（４−ｔｅｒｔ−ブチル−フェニル）−２−メチル−プロペニルアミノ］−安息香酸メチルエステル、２−［（２，４−ジメチル−シクロヘキス−３−エニルメチレン）−アミノ］−安息香酸メチルエステル、２−メチル−４−（２，６，６−トリメチル−シクロヘキス−２−エニル）−ブチルアルデヒド、３−（３−イソプロピル−フェニル）−ブチルアルデヒド、３−（４−イソブチル−フェニル）−２−メチル−プロピオンアルデヒド、［１−メチル−２−（１，２，２，−トリメチル−ビシクロ［３．１．０］ヘキス−３−イルメチル）−シクロプロピル］−メタノール、２−エチル−４−（２，２，３−トリメチル−シクロペント−３−エン−１−イル）−ブト−２−エン−１−オール、３−（５，５，６−トリメチルビシクロ［２．２．１］ヘプト−２−イル）シクロヘキサノール、３−（５，５，６−トリメチルビシクロ［２．２．１］ヘプト−２−イル）シクロヘキサノールを含有するサンデラプロセスの製品、３−メチル−５−（２，２，３−トリメチル−シクロペント−３−エニル）−ペンタン−２−オール、３−メチル−５−（２，２，３−トリメチル−３−シクロペンテン−１−イル）−４−ペンテン−２−オール、（ｅ）−オキサシクロヘプタデク−１０−エン−２−オン、３−メチルシクロテトラデク−５−エン−１−オン、４−メチルシクロテトラデク−６−エン−１−オン、およびオキサシクロヘキサデク−１２−エン−２−オンからなる群から選択される、前記使用。
【請求項２】
請求項１に規定された少なくとも１種の皮膚美白化合物および任意に賦形剤を含む組成物を、十分な濃度においてヒトの皮膚に定期的な間隔で適用する、ヒト皮膚を美白する方法。
【請求項３】
請求項１に規定された少なくとも１種の皮膚美白化合物を、パーソナルケア製品調合物に０．１〜２％（ｗ／ｖ）の濃度で混合する、皮膚美白パーソナルケア製品を形成する方法。
【請求項４】
第１のステップとして、組成物を、請求項１に規定された皮膚美白化合物から選択される少なくとも１種の化合物、並びに、アルブチン、デオキシアルブチン、オクタデセンジオン酸、コウジ酸、エンブリカニンＡ、エンブリカニンＢ、アスコルビン酸、アスコルビン酸の誘導体、香料成分、溶媒、添加剤、および賦形剤からなる群から選択される少なくとも１種の成分から形成する、請求項３に記載の方法。
【請求項５】
（ａ）少なくとも３０％（ｗ／ｗ）の、少なくとも２種の請求項１に規定された皮膚美白化合物、
（ｂ）７０％（ｗ／ｗ）までの、香料において用いられる添加剤、賦形剤および溶媒を含む１種または２種以上の付加的な香料成分から選択される任意の成分、
を含む、皮膚美白香料組成物。
【請求項６】
（Ｅ）−オキサシクロヘプタデク−１０−エン−２−オンまたは３−メチルシクロテトラデク−５−エン−１−オン、４−メチルシクロテトラデク−６−エン−１−オンおよびオキサシクロヘキサデク−１２−エン−２−オンからなる群から選択される少なくとも１種の化合物、並びに、アルブチン、オクタデセンジオン酸、デオキシアルブチン、コウジ酸、エンブリカニンＡ、エンブリカニンＢ、アスコルビン酸、およびアスコルビン酸の誘導体からなる群から選択される少なくとも１種の皮膚美白化合物を含む、請求項５に記載の皮膚美白香料組成物。
【請求項７】
請求項５または６に規定された組成物を、パーソナルケア製品調合物と混合する、皮膚美白パーソナルケア製品を製造するための方法。
【請求項８】
請求項５、６または７に記載の組成物を少なくとも０．１％（ｗ／ｖ）含む、皮膚美白パーソナルケア製品。
【請求項９】
少なくとも２種の請求項１に規定された皮膚美白化合物を、０．１％〜１％の合計濃度で含む、皮膚美白パーソナルケア製品。
【請求項１０】
（Ｅ）−オキサシクロヘプタデク−１０−エン−２−オン、３−メチルシクロテトラデク−５−エン−１−オン、４−メチルシクロテトラデク−６−エン−１−オン、およびオキサシクロヘキサデク−１２−エン−２−オンからなる群から選択される少なくとも１種の皮膚美白化合物、並びに、アルブチン、デオキシアルブチン、オクタデセンジオン酸、コウジ酸、エンブリカニンＡ、エンブリカニンＢ、アスコルビン酸、およびアスコルビン酸の誘導体からなる群から選択される少なくとも１種の化合物を含む、皮膚美白パーソナルケア製品。
【請求項１１】
皮膚美白パーソナルケア製品の製造方法であって、
ａ）請求項１に規定された少なくとも１種の皮膚美白化合物を、パーソナルケア製品調合物に混合し、パーソナルケア製品を形成することにより、パーソナルケア製品を提供すること、
ｂ）前記パーソナルケア製品を包装すること、
ｃ）前記包装されたパーソナルケア製品に、皮膚の美容美白用の使用説明書を提供すること、
のステップを含む、前記方法。
【請求項１２】
使用説明書が、色素が沈着または過度に沈着した皮膚に、パーソナルケア製品を、定期的に皮膚美白効果を得るのに十分な量で適用するためのものである、請求項１１に記載の方法。
【請求項１３】
パーソナルケア製品が、請求項１に規定された少なくとも１種の皮膚美白化合物を０．１％〜２％の濃度で有し、使用説明書が、パーソナルケア製品を、色素が沈着または過度に沈着した皮膚にたっぷりと、少なくとも１日１回、好ましくは５〜５０ｍｇ／ｃｍ２の量または０．０５〜０．５ｍｍの厚さで適用するためのものである、請求項１２に記載の方法。
【請求項１４】
請求項１に規定された化合物を、色素が沈着または過度に沈着したヒトの皮膚に定期的に十分な量で適用することにより、皮膚を美白する方法。
【請求項１５】
パーソナルケア製品が、請求項１〜５のいずれかに規定された少なくとも１種の皮膚美白化合物を０．１〜２％の濃度で有し、これを少なくとも１日１回、５〜５０ｍｇ／ｃｍ２の量または０．０５〜０．５ｍｍの厚さで皮膚に適用する、請求項１４に記載の方法。
【手続補正書】
【提出日】平成21年2月3日(2009.2.3)
【手続補正１】
【補正対象書類名】特許請求の範囲
【補正対象項目名】全文
【補正方法】変更
【補正の内容】
【特許請求の範囲】
【請求項１】
（ａ）医薬有効成分を含有する医薬調合物を湿式造粒するステップ；および
（ｂ）同時に、前記医薬調合物を流動層乾燥するステップ；
を含む、経口用固形医薬製剤の製造方法。
【請求項２】
前記医薬有効成分がレベチラセタムである、請求項１に記載の製造方法。
【請求項３】
前記湿式造粒が湿式造粒剤を用いて行われる、請求項１または２に記載の製造方法。
【請求項４】
前記湿式造粒剤が水である、請求項３に記載の製造方法。
【請求項５】
前記湿式造粒剤が、噴霧速度を２００〜２１０ｇ／分、噴霧時間を約４０分間以下として噴霧される、請求項３または４に記載の製造方法。
【請求項６】
前記湿式造粒剤が、噴霧速度を１〜２０ｇ／分として噴霧される、請求項３または４に記載の製造方法。
【請求項７】
前記流動層乾燥は、５００〜６００ｃｆｍ（８５０〜１０２０ＣＭＨ）の気流速度で行われる、請求項１から６のいずれか一項に記載の製造方法。
【請求項８】
前記流動層乾燥は、４０〜１００ＣＭＨの気流速度で行われる、請求項１から６のいずれか一項に記載の製造方法。
【請求項９】
前記経口用固形医薬製剤が、錠剤またはカプセル剤である、請求項１から８のいずれか一項に記載の製造方法。
【請求項１０】
前記経口用固形医薬製剤が、ＬＯＤが４％、４分での破砕性が０．８％未満、および崩壊時間が１５分未満の錠剤である、請求項９に記載の製造方法。
【請求項１１】
中枢神経系障害、動揺病、運動亢進症、筋緊張亢進、けいれん性疾患、記憶障害、低酸素性または虚血性ＣＮＳ疾患、躁うつ病、躁病、片頭痛、および慢性または神経障害性疼痛を治療するために有用な医薬を製造するための、請求項２に記載の製造方法。
【請求項１２】
前記けいれん性疾患がてんかんである、請求項１１に記載の製造方法。
【請求項１３】
（ａ）医薬有効成分を含有する医薬調合物を湿式造粒するステップ；および
（ｂ）同時に、前記医薬調合物を流動層乾燥するステップ；
を含む方法によって製造される、医薬組成物。
【請求項１４】
前記医薬有効成分がレベチラセタムである、請求項１３に記載の医薬組成物。
【請求項１５】
錠剤またはカプセル剤である、請求項１３または１４に記載の医薬組成物。
【請求項１６】
中枢神経系障害、動揺病、運動亢進症、筋緊張亢進、けいれん性疾患、記憶障害、低酸素性または虚血性ＣＮＳ疾患、躁うつ病、躁病、片頭痛、および慢性または神経障害性疼痛を治療するための、請求項１４に記載の医薬組成物。
【請求項１７】
前記けいれん性疾患がてんかんである、請求項１６に記載の医薬組成物。
【手続補正書】
【提出日】平成21年3月12日(2009.3.12)
【手続補正１】
【補正対象書類名】特許請求の範囲
【補正対象項目名】全文
【補正方法】変更
【補正の内容】
【特許請求の範囲】
【請求項１】
以下を含む、被検対象の口内粘膜を通した医薬的に有効量のメトホルミンまたはその医薬的に許容可能な塩の送達のための経口経粘膜医薬組成物：
有効量のメトホルミンまたはその医薬的に許容可能な塩、
アルカリ金属アルキル硫酸塩、グリセリン、胆汁酸または胆汁酸塩、レシチン、ヒアルロン酸、オクチルフェノキシポリエトキシエタノール、グリコール酸、乳酸、カモミール抽出物、キュウリ抽出物、オレイン酸、リノレン酸、ルリヂサ油、マツヨイグサ油、ポリグリセリン、リジン、ポリリジン、トリオレイン、モノオレイン、モノオレイン酸塩、モノラウリン酸塩、メントール、ポリドカノールアルキルエーテル、ならびにそれらの医薬的に許容可能な塩および類似体から選択される少なくとも１つの有効量の吸収促進剤、および
ハードキャンディ、ロゼンジ、チューインガムまたは咀嚼可能なカプセルの形態である、医薬的に許容可能な担体
（ここにおいて、前記医薬品は、前記製剤の全量を基準として５から９０ｗ／ｗ％の濃度で存在する）。
【請求項２】
請求項１に記載の組成物であって、それぞれの吸収促進剤が全組成物の３０ｗ／ｗ％以下の濃度で存在し、吸収促進剤の全濃度が、全組成物の３０ｗ／ｗ％未満である組成物。
【請求項３】
それぞれの吸収促進剤が全組成物の７ｗ／ｗ％未満の濃度で存在する、請求項２に記載の組成物。
【請求項４】
前記アルカリ金属アルキル硫酸塩がアルカリ金属Ｃ８からＣ２２アルキル硫酸塩である、請求項１から３の何れか１項に記載の組成物。
【請求項５】
硫酸ラウリルナトリウムを含む、請求項１から４の何れか１項に記載の組成物。
【請求項６】
グリセリンを含む、請求項１から５の何れか１項に記載の組成物。
【請求項７】
グリココール酸ナトリウムを含む、請求項１から６の何れか１項に記載の組成物。
【請求項８】
前記メトホルミンの医薬的に許容可能な塩がメトホルミン塩酸塩である、請求項１から７の何れか１項に記載の組成物。
【請求項９】
メトホルミンまたはその医薬的に許容可能な塩の量が、１投与量当り１００から８５０ミリグラムである、請求項１から８の何れか１項に記載の組成物。
【請求項１０】
メトホルミンまたはその医薬的に許容可能な塩の量が、１投与量当り１００から５００ミリグラムである、請求項９に記載の組成物。
【請求項１１】
メトホルミンまたはその医薬的に許容可能な塩の量が、１投与量当り２５０から５００ミリグラムである、請求項１０に記載の組成物。
【請求項１２】
請求項１から１１の何れか１項に記載の組成物であって、組成物の全重量を基準として、１０から５０ｗ／ｗ％の濃度のメトホルミン塩酸塩、０．０１から２ｗ／ｗ％の濃度のラウリル硫酸ナトリウム、０．０１から２ｗ／ｗ％の濃度のグリココール酸ナトリウム、２から１０ｗ／ｗ％の濃度のグリセリン、および１０から９０ｗ／ｗ％の濃度のチューインガム基礎剤を含む、チューインガムの形態の組成物。
【請求項１３】
前記口内粘膜が頬の膜である、請求項１から１２の何れか１項に記載の組成物。
【請求項１４】
以下を含む、経口経粘膜メトホルミン組成物の製造方法：
（ａ）有効量のメトホルミンまたはその医薬的に許容可能な塩と、（ｂ）アルカリ金属アルキル硫酸塩、グリセリン、胆汁酸または胆汁酸塩、レシチン、ヒアルロン酸、オクチルフェノキシポリエトキシエタノール、グリコール酸、乳酸、カモミール抽出物、キュウリ抽出物、オレイン酸、リノレン酸、ルリヂサ油、マツヨイグサ油、ポリグリセリン、リジン、ポリリジン、トリオレイン、モノオレイン、モノオレイン酸塩、モノラウリン酸塩、メントール、ポリドカノールアルキルエーテル、ならびにそれらの医薬的に許容可能な塩および類似体から選択される、少なくとも１つの有効量の吸収促進剤とを混合し、ペーストを作製する；
前記ペーストとガム基礎剤とを混合する；および
生成される混合物を、チューインガム錠剤、カプセル、キャプレッツまたはチクレッツに形成する。
【請求項１５】
被検対象における糖尿病の治療に使用するための、請求項１から１３の何れか１項に記載の組成物。
【請求項１６】
糖尿病の治療のための医薬の製造における、請求項１から１３の何れか１項に記載の組成物の使用。
【請求項１７】
前記医薬が前記被検対象に投与される、請求項１６に記載の使用。
【請求項１８】
前記医薬が少なくとも１分間口内に維持される、請求項１７に記載の使用。
【請求項１９】
前記医薬が１から３０分間口内に維持される、請求項１８に記載の使用。
【請求項２０】
前記医薬が１から２０分間口内に維持される、請求項１９に記載の使用。
【請求項２１】
前記医薬が１から９分間口内に維持される、請求項２０に記載の使用。
【請求項２２】
前記医薬がを少なくとも３０分間口内に維持される、請求項１８に記載の使用。
【請求項２３】
前記医薬が少なくとも２０分間口内に維持される、請求項１８に記載の使用。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
第一経路及び第二経路に沿う方向を向いた光を受けるように配置された光源、第一経路、第二経路、及び画像処理装置、  画像処理装置に検出可能な干渉縞構造を形成するために光源からの光を配置する調節要素、及び  画像処理装置から画像データを受けて光学装置の空間的位相プロフイールを設けるように画像データのヒルベルト（Ｈｉｌｂｅｒｔ）位相変換を実施するプロセッサー、を具備するヒルベルト（Ｈｉｌｂｅｒｔ）位相画像処理装置。
【請求項２】
光源から第一経路及び第二経路に光を結合する光ファイバー装置を更に備えている請求項１の装置。
【請求項３】
ビームスプリッタが、調節された基準画像とサンプル画像とを結合している請求項１の装置。
【請求項４】
調節装置が可動ミラー又はレンズを有している請求項１の装置。
【請求項５】
調節要素が、第二経路に対して第一経路を傾斜させている請求項１の装置。
【請求項６】
サンプルホルダーにより倒立顕微鏡に対してサンプルが取付けられている請求項１の装置。
【請求項７】
倒立顕微鏡が、サンプルホルダー、対物レンズ、ビームスプリッタ、及び共通フーリエ面内に位置されている画像処理装置上に光を結ぶレンズを有している請求項６の装置。
【請求項８】
光ファイバースプリッタ、ファイバーカプラー、第一コリメータ、第二コリメータ及び第二対物レンズを更に有している請求項２の装置。
【請求項９】
プロセッサーは、画像データにフーリエ変換を実行し、変換された画像データにフィルターを適用し、フィルター処理された画像データに逆フーリエ変換を実施するプログラムを有している請求項１の装置。
【請求項１０】
光がサンプルにより反射されるか或いは光がサンプルを通って伝送される請求項１の装置。
【請求項１１】
反射性材料がサンプル上に配置されている請求項１の装置。
【請求項１２】
画像処理装置が、少なくとも４８０×６４０の画素を有し且つ少なくとも１０フレーム／秒で動作するＣＣＤ又はＣＭＯＳ画像処理装置を備えている請求項１の装置。
【請求項１３】
光源、画像処理すべきオブジェクトを有する第一の光学的経路、第二の光学的経路及び画像処理装置を提供する過程と、画像処理装置を第一の光学的経路及び第二の光学的経路に対して位置決めする過程と、干渉縞構造を形成するために第二の光学的経路に対して第一の光学的経路を配置する過程と、干渉縞構造の画像を得る過程と、空間位相画像データを得るためにハイベルト（Ｈｉｌｂｅｒｔ）変換により画像を処理する過程と、を有するオブジェクトの画像処理方法。
【請求項１４】
画像処理装置の直交軸に対して４５°の角度で干渉パターンの縞構造を配置する過程を有する請求項１３の方法。
【請求項１５】
生物学的材料または組織サンプルを画像処理する過程を有している請求項１３の方法。
【請求項１６】
レーザー光源を設ける過程を有し、画像を検出する第一光学的経路及び第二位光学的経路のフーリエ面内に画像処理装置が配置されている請求項１３の方法。
【請求項１７】
複素解析信号の実数部の正弦波信号成分を得るために測定されたスペクトルデータのフーリエ変換及び高域フィルタリングし、２次元フーリエ変換を計算し且つハイベルト（Ｈｉｌｂｅｒｔ）変換を用いることにより負の周波数を抑制することによって正弦波信号と関連した複素解析信号を得て、ラップされていない位相情報を含むオブジェクトに関する位相情報を提供する複素二次元信号を得るために逆フーリエ変換を行い、且つ直線の位相を減算することにより空間的位相画像を定量的に得ることによってオブジェクトの空間的位相画像を得る過程を更に備えている請求項１３の方法。
【請求項１８】
測定のために哺乳動物の身体から採取した組織又は血液を画像処理する過程を有している請求項１３の方法。
【請求項１９】
サンプル中のオブジェクトの寸法又は体積を決定する過程を有している請求項１３の方法。
【請求項２０】
血液細胞の画像処理する過程或いは赤血球又は白血球の特性を測定する過程を有している請求項１３の方法。
【請求項２１】
画像内のノイズ成分を測定する過程と、画像からノイズ成分を除去する過程とを有している請求項１３の方法。
【請求項２２】
オブジェクトに取り付けられる反射材料を任意に有するオブジェクトによって反射された光による画像を得る過程を有している請求項１３の方法。
【請求項２３】
赤血球のヘモリシスを測定する過程を有している請求項１３の方法。
【請求項２４】
光源からの光を調節するために光学的調節器を用いる過程を有している成る請求項１３の方法。
【請求項２５】
結晶性の材料を測定する過程を有している請求項１３の方法。
【請求項２６】
光ファイバーを測定する過程を有している請求項１３の方法。
【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
化学的又は生物学的材料分析装置のための試料取り扱いシステムであって、
円周から内側に延びる半径方向に分布した複数のスロットを有する少なくとも第一のカルーセルと、
それぞれが、直線軸に沿って離間した一つ以上の位置で一つ以上の試料又は対照を保持する複数のリニアラックと、
前記リニアラックを前記少なくとも第一のカルーセルのスロットの中及び外に選択的に動かすための少なくとも第一の移送装置と
を含む試料取り扱いシステム。
【請求項２】
前記少なくとも第一のカルーセルのスロットの側壁に配置された、リニアラックを前記スロットの反対の側壁に対して偏らせるためのばねをさらに含む、請求項１記載の試料取り扱いシステム。
【請求項３】
前記少なくとも第一の移送装置が直線的に動く、請求項１記載の試料取り扱いシステム。
【請求項４】
前記一つ以上の位置が少なくとも五つの位置を含む、請求項１記載の試料取り扱いシステム。
【請求項５】
前記リニアラックそれぞれがベースに形成された一つ以上の戻り止めを有し、ボタン部材が前記少なくとも第一のカルーセルの各スロットのベースに配置されて前記一つ以上の戻り止めの少なくとも一つと選択的に係合する、請求項１記載の試料取り扱いシステム。
【請求項６】
ボタン部材がばねで偏らせられている、請求項５記載の試料取り扱いシステム。
【請求項７】
各リニアラックに対応するラベルと、前記ラベルを読み取り、前記ラベルからの情報を制御装置に伝送するために配置されたラベルリーダとをさらに含む、請求項１記載の試料取り扱いシステム。
【請求項８】
前記ラベルリーダが前記少なくとも第一の移送装置に隣接して配置されている、請求項７記載の試料取り扱いシステム。
【請求項９】
前記ラベルがバーコードであり、前記ラベルリーダがバーコードリーダである、請求項７記載の試料取り扱いシステム。
【請求項１０】
前記ラベルがＲＦＩＤタグである、請求項７記載の試料取り扱いシステム。
【請求項１１】
前記少なくとも第一の移送装置が、前記リニアラックのベースに形成された移送スロット中に突出するピンを含む、請求項１記載の試料取り扱いシステム。
【請求項１２】
前記少なくとも第一の移送装置が、前記ピンを直線的に前後に動かすためにモータによって駆動されるベルトを含む、請求項１１記載の試料取り扱いシステム。
【請求項１３】
前記少なくとも第一の移送装置が、前記リニアラックを前記少なくとも第一のカルーセルと自動化ラックローダとの間で動かすように構成されている、請求項１記載の試料取り扱いシステム。
【請求項１４】
円周から内側に延びる半径方向に分布した複数のスロットを有する少なくとも第二のカルーセルをさらに含み、
前記少なくとも第一の移送装置又は少なくとも第二の移送装置が前記リニアラックを前記少なくとも第二のカルーセルの中及び外に動かす、請求項１記載の試料取り扱いシステム。
【請求項１５】
前記少なくとも第二のカルーセルが前記少なくとも第一のカルーセルと同じサイズである、請求項１４記載の試料取り扱いシステム。
【請求項１６】
前記少なくとも第二のカルーセルと前記少なくとも第一のカルーセルとが異なるサイズである、請求項１４記載の試料取り扱いシステム。
【請求項１７】
前記少なくとも第二のカルーセルに隣接して配置された対照貯蔵部品と、
前記リニアラックを、前記対照貯蔵部品の外へ出して前記少なくとも第二のカルーセルへ動かし、前記少なくとも第二のカルーセルから前記対照貯蔵部品の中へ動かすための少なくとも第三の移送装置と
をさらに含む、請求項１４記載の試料取り扱いシステム。
【請求項１８】
前記少なくとも第一のカルーセルに隣接して配置された対照貯蔵部品と、
前記リニアラックを、前記対照貯蔵部品の外へ出して前記少なくとも第一のカルーセルへ動かし、前記少なくとも第一のカルーセルから前記対照貯蔵部品の中へ動かすための少なくとも第二の移送装置と
をさらに含む、請求項１記載の試料取り扱いシステム。
【請求項１９】
前記少なくとも第一のカルーセルが右回り又は左回りのいずれかの方向に３６０°回転可能である、請求項１記載の試料取り扱いシステム。
【請求項２０】
前記少なくとも第一のカルーセル及び前記少なくとも第二のカルーセルが右回り又は左回りのいずれかの方向に３６０°回転可能である、請求項１４記載の試料取り扱いシステム。
【請求項２１】
化学的又は生物学的材料分析装置のための試料取り扱いシステムであって、
それぞれが複数の試料又は対照を保持する複数のラックと、
それぞれが複数の半径方向に分布したスロットを含む少なくとも二つのカルーセルと、
前記複数のラックの個々のラックを前記少なくとも二つのカルーセルの半径方向に分布したスロットの間で動かすためのシャトル機構と、
前記少なくとも二つのカルーセル及び前記シャトル機構の動きを制御するための制御装置と
を含む試料取り扱いシステム。
【請求項２２】
前記複数のラックの各ラックに配置された識別子をさらに含み、前記識別子が前記ラックの内容物を識別する、請求項２１記載の試料取り扱いシステム。
【請求項２３】
前記ラックそれぞれが線形であり、その長手に沿って分布した異なる位置に試料又は対照を含む、請求項２１記載の試料取り扱いシステム。
【請求項２４】
前記制御装置が、試料ラックの優先的装填を許すために前記少なくとも二つのカルーセルの一つの、少なくとも一つのスロットを空に維持するように前記複数のラック上の試料を処理する、請求項２１記載の試料取り扱いシステム。
【手続補正２】
【補正対象書類名】明細書
【補正対象項目名】０００６
【補正方法】変更
【補正の内容】
【０００６】
コンピュータ制御の下で作動する機械的移送装置がリニアラックと係合し、リニアラックを、たとえばラックローダからカルーセルまで、二つの隣接するカルーセルの間で、また、カルーセルと別個の対照貯蔵コンパートメントとの間で移送する。これは、好ましくは、移送スライドをそれに取り付けられた移送ピンとともに動かすベルト又はチェーンドライブを使用して達成することができる。移送ピンは、たとえばリニアラックの底部に位置するスロットと係合する。コンピュータ制御の下で作動するモータが、移送ピンをリニアラック中のスロットと係合させ、リニアラックを、たとえばカルーセル中のスロットの中に動かす。カルーセルに入ると、リニアラックは、たとえば、板ばね及びリニアラックの底部にある凹みに嵌入するボタン接続によって保持（retain）される。カルーセルをわずかに前進させることにより、移送ピンを、カルーセルの底部に形成された通路を介してリニアラックの外に出し、カルーセルの円周の外側の位置まで動かすことができる。好ましくは、リニアラックをカルーセル中のスロットの側壁に対して所定位置にしっかり保持するために、ばね又は他の弾性装置が使用される。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
マルチウェルインピーダンス測定装置であって、
ａ）分離された複数のサンプルを平板型アレイ構造にて収容する複数のチャンバであって、前記複数のチャンバは基板に形成されており、前記基板は該基板の一部分を貫いて延びる複数の孔を含み、前記複数のチャンバの各々は下面を有する、前記複数のチャンバと、
ｂ）前記複数のチャンバの各々の下面に平坦に設けられる複数の機能的等価インピーダンス測定電極であって、該複数の電極は上面および下面を有し、該複数の電極の上面は前記複数のチャンバ内部で露出されており、かつ前記複数の電極の各々は該マルチウェルインピーダンス測定装置内の他の複数の電極の各々から電気的に絶縁されている、前記複数の機能的等価インピーダンス測定電極と、
ｃ）前記基板の前記下面と前記複数のチャンバ内の前記複数の電極の前記下面との間の複数の電気接続部と、
を備える、マルチウェルインピーダンス測定装置。
【請求項２】
前記複数のチャンバは、
上面および下面を有するとともに複数の貫通孔を含む上部プレートと、
上面および下面を有するとともに前記上部プレートの下面に密閉固着される下部プレートと
から形成されている、請求項１記載のマルチウェルインピーダンス測定装置。
【請求項３】
前記貫通孔は円筒形である、請求項２記載のマルチウェルインピーダンス測定装置。
【請求項４】
前記貫通孔は方形である、請求項２記載のマルチウェルインピーダンス測定装置。
【請求項５】
前記貫通孔は円錐形である、請求項２記載のマルチウェルインピーダンス測定装置。
【請求項６】
前記上部及び下部プレートは、プラスチック、エラストマー、セラミックス、複合材料、ガラス、カーボン材料、またはこれらの材料の組み合わせにより作製されている、請求項２記載のマルチウェルインピーダンス測定装置。
【請求項７】
前記プラスチックは、ポリスチレン、ポリカーボネート、ポリアミド、ポリイミド、ポリエチレン、ポリプロピレン、ポリエチレンテレフタレート、シクロオレフィンポリマー、またはポリエステルである、請求項６記載のマルチウェルインピーダンス測定装置。
【請求項８】
前記プラスチックは射出成形可能なプラスチックである、請求項６記載のマルチウェルインピーダンス測定装置。
【請求項９】
前記下部プレートは透明である、請求項２記載のマルチウェルインピーダンス測定装置。
【請求項１０】
前記平板型アレイは２４個のウェルから成る、請求項１又は２記載のマルチウェルインピーダンス測定装置。
【請求項１１】
前記平板型アレイは９６個のウェルから成る、請求項１又は２記載のマルチウェルインピーダンス測定装置。
【請求項１２】
前記平板型アレイは３８４個のウェルから成る、請求項１又は２記載のマルチウェルインピーダンス測定装置。
【請求項１３】
前記平板型アレイは８６４個のウェルから成る、請求項１又は２記載のマルチウェルインピーダンス測定装置。
【請求項１４】
前記平板型アレイは１５３６個のウェルから成る、請求項１又は２記載のマルチウェルインピーダンス測定装置。
【請求項１５】
前記複数の機能的等価インピーダンス測定電極は２つの同一電極から成る、請求項１又は２記載のマルチウェルインピーダンス測定装置。
【請求項１６】
前記複数の機能的等価インピーダンス測定電極は、電気メッキ、スパッタリング、蒸着、スクリーン印刷、またはパッド印刷によって前記下部プレートの表面に堆積された導電材料を含む、請求項１又は２記載のマルチウェルインピーダンス測定装置。
【請求項１７】
前記導電材料は、金、銀、インジウム錫酸化物、銅、または炭素繊維である、請求項１６記載のマルチウェルインピーダンス測定装置。
【請求項１８】
前記複数の機能的等価インピーダンス測定電極は、単一層の導電材料により形成されている、請求項１又は２記載のマルチウェルインピーダンス測定装置。
【請求項１９】
前記複数の機能的等価インピーダンス測定電極は、複数層の導電材料により形成されている、請求項１又は２記載のマルチウェルインピーダンス測定装置。
【請求項２０】
前記上部プレートは、接着層、熱ボンディング、または超音波ボンディングによって前記下部プレートに密閉固着されている、請求項２記載のマルチウェルインピーダンス測定装置。
【請求項２１】
前記複数の電気接続部は、前記下部プレートの下面に形成された複数の電気接触パッドと、前記下部プレートの上面の前記複数の電極に前記複数の電気接触パッドを接続する複数の導電ビアとを含む、請求項１又は２記載のマルチウェルインピーダンス測定装置。
【請求項２２】
前記複数の電気接触パッドは、電気メッキ、スパッタリング、蒸着、スクリーン印刷、またはパッド印刷によって前記下部プレートの下面に堆積された導電材料を含む、請求項２１記載のマルチウェルインピーダンス測定装置。
【請求項２３】
前記導電材料は、金、銀、インジウム錫酸化物、銅、または炭素繊維である、請求項２２記載のマルチウェルインピーダンス測定装置。
【請求項２４】
前記複数の電気接触パッドは、導電性インクとして塗布された導電粒子により形成されている、請求項２２記載のマルチウェルインピーダンス測定装置。
【請求項２５】
前記導電粒子は、金、銀、白金、または炭素からなる、請求項２４記載のマルチウェルインピーダンス測定装置。
【請求項２６】
前記複数の機能的等価インピーダンス測定電極は、導電性インクとして塗布された導電粒子を含む、請求項１又は２記載のマルチウェルインピーダンス測定装置。
【請求項２７】
前記導電粒子は、金、銀、白金、または炭素からなる、請求項２６記載のマルチウェルインピーダンス測定装置。
【請求項２８】
前記複数の機能的等価インピーダンス測定電極は、金属層及び導電性インクにより形成されている、請求項１又は２記載のマルチウェルインピーダンス測定装置。
【請求項２９】
前記複数の導電ビアは、金属層及び導電性インクにより形成されている、請求項２１記載のマルチウェルインピーダンス測定装置。
【請求項３０】
前記複数の電気接触パッドは、金属層及び導電性インクにより形成されている、請求項２９記載のマルチウェルインピーダンス測定装置。
【請求項３１】
プレート識別特徴を読み取り可能な埋め込み型装置をさらに備える請求項１〜３０のいずれか一項に記載のマルチウェルインピーダンス測定装置。
【請求項３２】
前記プレート識別特徴は、光学的に読み取り可能な特徴、電気的に読み取り可能な特徴、機械的特徴、ＲＦＩＤタグ、またはメモリチップを含む、請求項３１記載のマルチウェルインピーダンス測定装置。
【手続補正書】
【提出日】平成21年3月10日(2009.3.10)
【手続補正１】
【補正対象書類名】特許請求の範囲
【補正対象項目名】全文
【補正方法】変更
【補正の内容】
【特許請求の範囲】
【請求項１】
電流を検知する回路であって、
出力と、電流を示す第１及び第２の基準電位をサンプリングするよう構成された入力とを有する第１のスイッチト・キャパシタ回路網と、
出力と、前記第１のスイッチト・キャパシタ回路網の前記出力に結合された入力とを有する増幅器であって、前記第１及び第２の基準電位に基づいて第１及び第２の増幅された電位を前記増幅器の出力に生成するよう構成された増幅器と
を備える回路。
【請求項２】
前記増幅器の前記入力に結合された第１の端子と、前記増幅器の前記出力に結合された第２の端子とを有する第２のスイッチト・キャパシタ回路網であって、前記増幅器の前記入力におけるオフセット電圧をキャンセルするよう構成された第２のスイッチト・キャパシタ回路網を更に備える請求項１記載の回路。
【請求項３】
前記増幅器の前記入力が、第１及び第２の入力を備え、
前記増幅器の前記出力が、第１及び第２の出力を備え、
前記第２のスイッチト・キャパシタ回路網が、
前記増幅器の前記第１の入力に結合された第１の電極と、前記第１のフェーズにおいて第３の基準電位に結合され、また前記第２のフェーズにおいて前記増幅器の前記第１の出力に結合された第２の電極とを有する第１のスイッチング可能なキャパシタと、
前記増幅器の前記第２の入力に結合された第１の電極と、前記第１のフェーズにおいて前記第３の基準電位に結合され、また前記第２のフェーズにおいて前記増幅器の前記第２の出力に結合された第２の電極とを有する第２のスイッチング可能なキャパシタとを備える
請求項２記載の回路。
【請求項４】
電流を検知する回路であって、
前記電流を示す第１及び第２の基準電位を検知するよう構成された第１のスイッチト・キャパシタ回路網を備える第１の利得段と、
出力を有し、且つ前記第１の利得段に結合された第２のスイッチト・キャパシタ回路網を備える第２の利得段であって、前記第１及び第２の基準電位から前記出力に第１及び第２の増幅された基準電位を生成するよう構成された第２の利得段と、
前記第２の利得段の前記出力に結合された入力と、出力とを有するサンプル／ホールド（Ｓ／Ｈ）段であって、第１及び第２のサンプリングされた電位を前記第１及び第２の増幅された基準電位から所定の期間にわたり得るよう構成されたサンプル／ホールド（Ｓ／Ｈ段）と、
前記Ｓ／Ｈ段の前記出力に結合され、且つ前記第１及び第２のサンプリングされた電位を前記Ｓ／Ｈ段から受け取るよう構成されたアナログ／デジタル変換器と
を備える回路。
【請求項５】
電流を検知する回路であって、
出力を有する第１のスイッチト・キャパシタ回路網であって、前記電流を示す第１及び第２の基準電位をサンプリングするよう構成された第１のスイッチト・キャパシタ回路網と、
前記第１のスイッチト・キャパシタ回路網の前記出力に結合された入力と、出力とを有する増幅器であって、第１の増幅された電位を前記第１及び第２の基準電位から生成するよう構成された増幅器と、
前記増幅器の前記出力に結合された入力と、前記増幅器の前記入力に結合された出力とを有する第２のスイッチト・キャパシタ回路網であって、第２の増幅された電位を前記第１の増幅された電位から生成するよう構成された第２のスイッチト・キャパシタ回路網と
、
前記増幅器の前記出力に結合された入力を有するＳ／Ｈ段であって、サンプリングされた電位を前記増幅された電位から生成し、且つ前記サンプリングされた電位を所定の期間にわたり保持するよう構成されたＳ／Ｈ段と
を備える回路。
【手続補正書】
【提出日】平成21年3月9日(2009.3.9)
【手続補正１】
【補正対象書類名】特許請求の範囲
【補正対象項目名】全文
【補正方法】変更
【補正の内容】
【特許請求の範囲】
【請求項１】
ガスマトリクスを含むサンプルガス中の対象のガス成分の濃度を決定するための化学分析方法において、（ａ）波長可変ダイオードレーザからの光を、サンプルセル内に収容された不活性ガスを介して、選択された範囲のｎ個の波長にわたって光検出器へと方向付けて、光検出器からのある範囲のベースライン信号Ｉ０ｎを生成するステップであって、前記不活性ガスが、選択された範囲のｎ個の波長にわたって本質的に透過的である、ステップと、（ｂ）光検出器からのある範囲のベースライン信号Ｉ０ｎをデジタル化するステップと、（ｃ）デジタル化されたベースライン信号Ｉ０ｎをデジタルコンピュータに記憶するステップと、（ｄ）波長可変ダイオードレーザからの光を、サンプルセル内に収容されたサンプルガスを介して、選択された範囲のｎ個の波長にわたって光検出器へと方向付けて、光検出器からの一連のサンプル信号ＩＳｎを生成するステップと、（ｅ）光検出器からの一連のサンプル信号ＩＳｎをデジタル化するステップと、（ｆ）デジタル化されたサンプル信号ＩＳｎをデジタルコンピュータに記憶するステップと、（ｇ）方程式Ｉ（ｎ）＝（Ｉ０ｎ−ＩＳｎ）／Ｉｏｎにしたがってデジタルコンピュータでスペクトルを計算するステップと、（ｈ）コンピュータ内にデジタルで記憶された不活性ガス中の対象の成分の既知の濃度のスペクトル、ステップ（ｇ）のスペクトル、コンピュータ内にプログラムされた多変数回帰アルゴリズムを使用することにより、対象のガス成分の濃度を示す信号をコンピュータから生成するステップと、を含む化学分析方法。
【請求項２】
サンプルはガスであり且つ対象のガス成分としてアセチレンを含み、ガスマトリクスがエチレンを含む、請求項１に記載の方法。
【請求項３】
サンプルは、エチレンクラッカ水素化器の出力流からオンラインで得られる、請求項２に記載の方法。
【請求項４】
サンプルの圧力は２５〜１５０ｔｏｒｒの範囲にある、請求項３に記載の方法。
【請求項５】
（ａ）デジタル出力信号を有する波長可変ダイオードレーザスペクトロメータと、（ｂ）ガスサンプルを収容するためのサンプルセルと、（ｃ）スペクトロメータからのデジタル出力信号を受けるためのデジタルコンピュータとを備え、前記デジタルコンピュータは、多変数回帰アルゴリズムを使用してデジタル出力信号を処理するようにプログラムされている、分光分析のための装置。
【請求項６】
サンプルセルが軸外集積キャビティ出力サンプルセルである、請求項５に記載の装置。
【請求項７】
サンプルセル内へ導入されるガスの圧力を低下させることができるように軸外集積キャビティ出力サンプルセルと流体連通する真空ポンプを更に備える、請求項６に記載の装置。
【請求項８】
エチレンクラッカ水素化器を制御するための改良されたプロセスであって、ガス流が制御可能に加熱されて水素化器へと供給され、水素化器を制御できるように化学分析方法によって水素化器からの出力流のアセチレン濃度が決定され、前記改良は水素化器からの出力流中のアセチレンの濃度を決定するための、請求項１から請求項４のいずれか一項に記載の化学分析方法の使用を含む、プロセス。
【請求項９】
エチレンクラッカ水素化器を制御するための改良されたプロセスであって、制御される水素化器へと水素流が供給され、水素化器を制御できるように化学分析方法によって水素化器からの出力流のアセチレン濃度が決定され、前記改良は水素化器からの出力流中のアセチレンの濃度を決定するための、請求項１から請求項４のいずれか一項に記載の化学分析方法の使用を含む、プロセス。
【手続補正２】
【補正対象書類名】明細書
【補正対象項目名】発明の名称
【補正方法】変更
【補正の内容】
【発明の名称】分光分析および制御
【手続補正３】
【補正対象書類名】明細書
【補正対象項目名】０００１
【補正方法】変更
【補正の内容】
【０００１】
本発明は、政府が本発明における特定の所有権を有するエネルギ省規約ＤＥ−ＦＣ０７−０２１１Ｄ１４４２８の下で成された。
ガスサンプルの波長可変ダイオードレーザ分光分析は知られている（例えば、米国特許第６，６１５，１４２号参照）。‘１４２号特許の方法は、サンプルスペクトルがその純粋な成分の一次結合として適合され得るという仮定を伴う計算に依存している。しかしながら、対象成分の濃度がサンプルマトリクス中で比較的低いと、例えば、‘１４２号特許の計算は、対象成分の濃度を正確に決定することができない。例えば、サンプルマトリクスがエチレンクラッカアセチレン水素化器からのガス流であり且つサンプル中の分析されるべき成分が約１００万分の１の濃度のアセチレンである場合、‘１４２号特許の計算は、比較的低濃度のアセチレンの濃度を正確に見積もることができない。従来技術の前述した問題を解決した波長可変ダイオードレーザに基づく分光法を見出すことができれば、当分野における進展となる。
【手続補正書】
【提出日】平成21年3月19日(2009.3.19)
【手続補正１】
【補正対象書類名】特許請求の範囲
【補正対象項目名】全文
【補正方法】変更
【補正の内容】
【特許請求の範囲】
【請求項１】
それぞれが各サンプルと複数の蛍光染料とを保持するプロセスチャンバを複数有するディスクを回転させるためのモータと、
それぞれが前記染料の異なる１つに対して選択された光源と、前記ディスクから放出された蛍光を捕捉するためのレンズとを含む複数の光学モジュールと、
検出器と、
前記複数の光学モジュールから前記検出器へ前記蛍光を伝達するように、前記複数の光学モジュールに結合された光ファイバ束と、を備える検出装置。
【請求項２】
データ取得装置、および、該データ取得装置に結合された検出装置を備える検出システムであって、
前記検出装置は、
それぞれが異なる波長で蛍光を放出する複数の種を有するプロセスチャンバを複数有するディスクを回転させるためのモータと、
それぞれが前記種を励起しかつ異なる波長で前記種によって放出された蛍光を捕捉するように、光学的に構成された複数の光学モジュールと、
検出器と、
前記複数の光学モジュールから前記検出器へ前記蛍光を伝達するために、前記複数の光学モジュールに結合された光ファイバ束と、を備える検出システム。
【請求項３】
それぞれが異なる波長で蛍光を放出する複数の種を有するプロセスチャンバを複数有するディスクを回転させるステップと、
複数の放出蛍光光線を生成するように、複数の光線で前記ディスクを励起するステップと、
複数の異なる光学モジュールで前記蛍光光線を捕捉するステップであって、前記光学モジュールは、前記異なる波長に対して光学的に構成されるステップと、
前記蛍光光線を前記複数の光学モジュールから単一の検出器へ光ファイバ束で伝達するステップと、
検出した前記光線を表す信号を前記検出器から出力するステップと、を含む方法。
【手続補正書】
【提出日】平成21年2月17日(2009.2.17)
【手続補正１】
【補正対象書類名】特許請求の範囲
【補正対象項目名】全文
【補正方法】変更
【補正の内容】
【特許請求の範囲】
【請求項１】
アルギニノコハク酸シンセターゼ（ＡＳＳ）の分析のための診断用抗体組成物であって、配列番号１から産生される抗体を受容可能な賦形剤中に含む、診断用抗体組成物。
【請求項２】
スルホトランスフェラーゼ（ｓｕｌｔ  ２ａ１）および肝臓エストロゲンスルホトランスフェラーゼ（ＥＳＴ−１）を特異的に検出する１つ以上の抗体をさらに含む、請求項１に記載の診断用抗体組成物。
【請求項３】
被験体における肝臓傷害の検出のための方法であって、
肝臓傷害を有すると疑われる被験体の組織サンプルにおける１つまたは１つよりも多いバイオマーカーを検出する工程であって、該バイオマーカーが、
スクアレンシンターゼ（ＳＱＳ）、カルバモイルリン酸シンセターゼ（ＣＰＳ）、アルギニノコハク酸シンセターゼ（ＡＳＳ）、カスパーゼ−３生成α−ＩＩスペクトリンタンパク質分解生成物（ＳＢＤＰ）１２０ｋＤａおよび１５０ｉｋＤａ、カルパイン生成α−ＩＩ  ＳＢＰＤ  １５０ｋＤａおよび１４５ｋＤａ、肝臓エストロゲンスルホトランスフェラーゼ（ＥＳＴ−１）およびスルホトランスフェラーゼ２ａ１（ｓｕｌｔ  ２ａ１）からなる群から選択される、工程；
を含み、ここで、正常被験体における該バイオマーカーの量または非存在と比較して、傷害から最大で少なくとも５日後の該１つまたは１つよりも多いバイオマーカーの増加が、肝臓傷害を示す、方法。
【請求項４】
前記１つまたは１つよりも多いバイオマーカーとともに、イソ型のグルタチオン−Ｓ−トランスフェラーゼ（ＧＳＴ−ＢＢ）の検出を包含する、請求項３に記載の方法。
【請求項５】
前記選択される１つまたは１つよりも多いバイオマーカーが、さらにＡＬＴ、ＳＧＯＴ、アミラーゼ、ＬＤＨおよびグルコース調節タンパク質（ＧＲＰ）からさらになる、請求項３に記載の方法。
【請求項６】
前記組織が、血液、血清または血漿である、請求項３に記載の方法。
【請求項７】
前記肝臓傷害が、毒性の肝臓傷害、虚血性の肝臓傷害、または慢性アルコール肝臓傷害である、請求項３に記載の方法。
【請求項８】
前記虚血性の肝臓傷害が、正常被験体におけるＥＳＴ−１と比較した血漿ＥＳＴ−１レベルの増加によって示される、請求項７に記載の方法。
【請求項９】
虚血性の肝臓傷害または慢性アルコール肝臓傷害が、正常被験体における検出可能なＡＳＳレベルの欠如と比較して、傷害後少なくとも３０分以内の、被験体における検出可能なＡＳＳの血漿レベルによって示される、請求項７に記載の方法。
【請求項１０】
ＡＳＳは、配列番号１のアミノ酸配列を有するポリペプチドから産生される抗体、または配列番号１および配列番号２から産生される抗体によるイムノアッセイによって、検出される、請求項９に記載の方法。
【請求項１１】
慢性肝臓傷害が、検出可能なＧＳＴ−ＢＢを有さない虚血性肝臓傷害の被験体または低レベルのみのＧＳＴ−ＢＢが検出可能な正常被験体と比較して、ＧＳＴ−ＢＢの増加した血漿レベルによって示される、請求項９に記載の方法。
【請求項１２】
前記検出は、液体クロマトグラフィー（ＬＣ）、ドデシル硫酸ナトリウム−ポリアクリルアミドゲル電気泳動（ＳＤＳ−ＰＡＧＥ）、質量分析、血清酵素アッセイ、肝臓免疫組織化学、またはイムノアッセイによる、請求項３に記載の方法。
【請求項１３】
前記イムノアッセイがＥＬＩＳＡである、請求項１２に記載の方法。
【請求項１４】
前記ＥＬＩＳＡがサンドイッチＥＬＩＳＡである、請求項１３に記載の方法。
【請求項１５】
前記イムノアッセイが、配列番号１の配列からなるポリペプチドから産生された抗体または配列番号２の配列からなるポリペプチドから産生された抗体によりＡＳＳを検出する、請求項１４に記載の方法。
【請求項１６】
移植された肝臓の生存をモニタリングする方法であって、ドナー肝臓の移植の前および後の組織サンプルにおけるアルギニノコハク酸シンセターゼ（ＡＳＳ）レベルを比較する工程を包含し、移植後約１２０分以内かつ最大約１２０分でのＡＳＳの増加したレベルの安定が、正常な肝臓機能の回復を示す、方法。
【請求項１７】
前記組織サンプルが、血液、血漿または血清である、請求項１６に記載の方法。
【請求項１８】
ＡＳＳの前記レベルが、比色剤、蛍光剤または化学発光剤、抗体または基質によって決定される、請求項１６に記載の方法。
【請求項１９】
前記生物学的サンプルと反応する剤が、少なくとも１つの前記バイオマーカーと特異的に、かつ独立して反応する少なくとも１つの抗体である、請求項１８に記載の方法。
【請求項２０】
前記少なくとも１つの抗体が、配列番号１または配列番号２から産生され、ＡＳＳを特異的に検出する、請求項１９に記載の方法。
【請求項２１】
被験体における肝臓傷害を検出するためのキットであって、
（ａ）肝臓傷害を有する疑いのある被験体から単離された生物学的サンプルを保持するための基板；
（ｂ）スクアレンシンターゼ（ＳＱＳ）、カルバモイルリン酸シンセターゼ（ＣＰＳ−１）、アルギニノコハク酸シンセターゼ（ＡＳＳ）、α−ＩＩスペクトリンのカスパーゼ−３タンパク質分解生成物（ＢＤＰ）１２０ｋＤａ、１４５ｋＤａ、１５０ｉｋＤａ、カルパイン−２  ＢＰＤ  １５０ｋＤａ、肝臓エストロゲンスルホトランスフェラーゼ（ＥＳＴ−１）およびスルホトランスフェラーゼ２ａ１（ｓｕｌｔ  ２ａ１）からなる群から選択されるバイオマーカーの少なくとも１つを選択的に、かつ独立して検出する、１つまたは１つより多くの抗体；および
（ｃ）剤または基質を該生物学的サンプルと反応させて、該少なくとも１つのバイオマーカーの存在を検出するための、印刷された指示書、
を含む、キット。
【請求項２２】
ＧＳＴ−ＢＢおよびスルホトランスフェラーゼを独立して検出する抗体をさらに含む、請求項２１に記載のキット。
【請求項２３】
前記１つまたは１つより多くの抗体が、ＡＳＳおよびイソ型のグルタチオン−Ｓ−トランスフェラーゼ（ＧＳＴ−ＢＢ）を検出する、請求項２２に記載のキット。
【手続補正書】
【提出日】平成21年4月2日(2009.4.2)
【手続補正１】
【補正対象書類名】特許請求の範囲
【補正対象項目名】全文
【補正方法】変更
【補正の内容】
【特許請求の範囲】
【請求項１】
ポリペプチドマーカーがマーカー１ないし５０（頻度マーカー）から選択される、試料中の少なくとも一つのポリペプチドマーカーの存在または非存在を測定する段階を含み、またはマーカー５１ないし２７９（振幅マーカー）から選択される少なくとも一つのポリペプチドマーカーの振幅を測定する段階を含み、前記マーカーは、分子量および泳動時間について下記の値によって特徴づけられる、アルツハイマー病の診断のための方法：
2008534973.tif 000001
2008534973.tif 000002
【請求項２】
測定された存在または非存在の評価が下記の参照値を用いて実施される、請求項１に記載の方法：
2008534973.tif 000003
2008534973.tif 000004
【請求項３】
マーカー ５１から２７９の振幅の評価が下記の参照値を用いて実施される、請求項１に記載の方法：
2008534973.tif 000005
2008534973.tif 000006
2008534973.tif 000007
2008534973.tif 000008
【請求項４】
請求項１で定義される少なくとも３種類または少なくとも４種類または少なくとも５種類または少なくとも１０種類またはすべてのポリペプチドマーカーが使用される、請求項１に記載の方法。
【請求項５】
個人に由来する試料が血液（血清または血漿）試料または脳脊髄液試料である、請求項１から４のいずれかに記載の方法。
【請求項６】
キャピラリー電気泳動、ＨＰＬＣ、気相イオンスペクトル法および／または質量分析が、一または複数のポリペプチドマーカーの存在または非存在を検出するのに用いられる、請求項１から４のいずれかに記載の方法。
【請求項７】
キャピラリー電気泳動が、ポリペプチドマーカーの分子量が測定される前に実施される、請求項１から６のいずれかに記載の方法。
【請求項８】
質量分析が、一または複数のポリペプチドマーカーの存在または非存在を検出するのに用いられる、請求項１から７のいずれかに記載の方法。
【請求項９】
アルツハイマー病の診断のための、マーカー番号１ないし２７９から選択されおよび分子量および泳動時間について下記の値によって特徴づけられる少なくとも一つのポリペプチドマーカーの使用：
2008534973.tif 000009
2008534973.tif 000010
【請求項１０】
請求項1に従って分子量および泳動時間(CE時間)により特徴づけられるマーカー１ないし２７９から選択される少なくとも10のマーカーを含むマーカーの組合せ。
【手続補正書】
【提出日】平成21年1月15日(2009.1.15)
【手続補正１】
【補正対象書類名】明細書
【補正対象項目名】０００４
【補正方法】変更
【補正の内容】
【０００４】
EP 1 335 193 A2からは次のような力測定装置が知られている。即ち、少なくとも幾つかの領域にて可撓性を有する要素と、これに固締された舌状要素と、磁石と、磁場に反応するセンサとを備えた力測定装置であって、前記舌状要素が前記可撓性要素の２つの領域の間に配置され、かつ、前記舌状要素がその一端において前記可撓性要素の領域に固定接続されると共に、前記可撓性要素が弾性変形する場合、その自由端で他の領域に対して偏向可能であり、かつ、この偏向が、磁石と磁場に反応するセンサとによって測定可能であるような力測定装置である。
【特許文献１】WO 2004/083792 A1
【特許文献２】WO 2004/106876 A1
【特許文献３】EP 1 335 193 A2
【特許文献４】DE 693 09 913 T2
【特許文献５】US 3,118,108
【特許文献６】CH 649 154 A
【特許文献７】US 5,339,699 A
【特許文献８】EP 0 270 322 A
【特許文献９】US 2,600,701
【特許文献１０】US 2,968,943
【特許文献１１】US 3,142,796
【特許文献１２】US 3,402,307
【特許文献１３】US 4,254,395
【特許文献１４】US 4,352,085
【特許文献１５】US 4,368,824
【特許文献１６】US 4,553,118
【特許文献１７】US 5,485,748
【特許文献１８】US 7,219,564